(57)【要約】【課題】故障電流が検出されたか否かの確認作業を簡単に行うことができる故障電流検出装置を提供する。【解決手段】故障電流検出装置１２には、配電線路に流れる故障電流を検出する故障電流検出部３２と、故障電流検出部３２により故障電流が検出された旨の異常検出信号Ｓ４を無線送信する送信部３３と、故障電流検出部３２により故障電流が検出された際には正常表示状態から異常表示状態へ移行する表示部４６とを備えた。そして、故障電流検出部３２により故障電流が検出された際、予め設定された通常の復帰時間ｔｎが経過したとき、送信部３３は異常検出信号Ｓ４の送信を停止すると共に、表示部４６は異常表示状態を保持するようにした。【選択図】      図１
2005304169.tif 000002
【特許請求の範囲】
【請求項１】
配電線路に流れる故障電流を検出する検出部と、
前記検出部により故障電流が検出された旨の異常検出信号を無線送信する送信部と、
前記検出部により故障電流が検出された際には正常表示状態から異常表示状態へ移行する表示部とを備え、
前記検出部により故障電流が検出された際、予め設定された復帰時間が経過したとき、前記送信部は異常検出信号の送信を停止すると共に、前記表示部は異常表示状態を保持するようにした故障電流検出装置。
【請求項２】
前記復帰時間経過後、表示部を異常表示状態から正常表示状態へ自動復帰させる表示復帰有りモードと、同じく自動復帰させることなく表示部を異常表示状態に保持する表示復帰無しモードとを備え、
前記表示復帰有りモードと表示復帰無しモードとを選択的に切替える表示復帰選択回路部を備えた請求項１に記載の故障電流検出装置。
【請求項３】
動作電源を電池とし、当該電池からの電力により装置の各部がそれぞれ正常に動作するか否かを自己診断する自己診断回路部を設けるようにした請求項１又は請求項２に記載の故障電流検出装置。
【請求項４】
前記復帰時間経過後、前記自己診断回路部から出力された自己診断開始信号に基づいて前記表示部を異常表示状態から正常表示状態に復帰させるようにした請求項３に記載の故障電流検出装置。
【請求項５】
前記送信部は異常検出信号を間欠的に送信するようにした請求項１〜請求項４のうちいずれか一項に記載の故障電流検出装置。
【発明の詳細な説明】
【技術分野】
【０００１】
本発明は、配電線路における故障点を速やかに発見するために配電線路に地絡電流等の故障電流が通過したことを検出する故障電流検出装置に関するものである。
【背景技術】
【０００２】
従来、正常電流値においては表示体を正常表示状態に保持し、地絡電流等の故障電流を検出すると、表示体を正常表示状態から異常表示状態に移行させるようにした故障電流検出装置が知られている。保全マンは表示体が正常表示状態か異常表示状態かを目視により確認することで配電線路における故障発生の有無を判断する（例えば、特許文献１参照。）。また、故障電流を検出した際にはブザーにより報知するようにしたものも知られている（例えば、特許文献２参照。）。
【特許文献１】特公平４−７６４３５号公報
【特許文献２】特公平３−３４５０号公報
【発明の開示】
【発明が解決しようとする課題】
【０００３】
ところが、特許文献１に記載の故障電流検出装置においては、複数の電柱にそれぞれ設置された故障電流検出装置の表示体の表示状態を一つずつ目視により確認する必要があった。このため、表示体の表示状態の確認作業が面倒であり、且つ表示体の表示状態の見間違いのおそれもあった。
【０００４】
また、特許文献２に記載の故障電流検出装置においては、配電線の変圧器及びアレスタの接地線に故障電流検出装置を設置した後に、電源側の開閉器を手動操作することにより、予め推定した故障区間の配電線路に瞬時加電圧すると共に変電所においてトリップ動作しないようにしていた。このとき、故障接地線に流れる地絡電流を前記故障電流検出装置により検出することにより配電線路における故障点を特定していた。このように、故障点の特定作業時において、故障電流検出装置の設置作業及び開閉器の手動操作が必要であった。従って、配電線の故障点の特定作業が繁雑になりがちであった。
【０００５】
本発明は上記問題点を解決するためになされたものであって、その目的は、故障電流が検出されたか否かの確認作業を簡単に行うことができる故障電流検出装置及び故障電流検出システムを提供することにある。
【課題を解決するための手段】
【０００６】
請求項１に記載の発明は、配電線路に流れる故障電流を検出する検出部と、前記検出部により故障電流が検出された旨の異常検出信号を無線送信する送信部と、前記検出部により故障電流が検出された際には正常表示状態から異常表示状態へ移行する表示部とを備え、前記検出部により故障電流が検出された際、予め設定された復帰時間が経過したとき、前記送信部は異常検出信号の送信を停止すると共に、前記表示部は異常表示状態を保持するようにしたことを要旨とする。
【０００７】
請求項２に記載の発明は、請求項１に記載の発明において、前記復帰時間経過後、表示部を異常表示状態から正常表示状態へ自動復帰させる表示復帰有りモードと、同じく自動復帰させることなく表示部を異常表示状態に保持する表示復帰無しモードとを備え、前記表示復帰有りモードと表示復帰無しモードとを選択的に切替える表示復帰選択回路部を備えたことを要旨とする。
【０００８】
請求項３に記載の発明は、請求項１又は請求項２に記載の発明において、動作電源を電池とし、当該電池からの電力により装置の各部がそれぞれ正常に動作するか否かを自己診断する自己診断回路部を設けるようにしたことを要旨とする。
【０００９】
請求項４に記載の発明は、請求項３に記載の発明において、前記復帰時間経過後、前記自己診断回路部から出力された自己診断開始信号に基づいて前記表示部を異常表示状態から正常表示状態に復帰させるようにしたことを要旨とする。
【００１０】
請求項５に記載の発明は、請求項１〜請求項４のうちいずれか一項に記載の発明において、前記送信部は異常検出信号を間欠的に送信するようにしたことを要旨とする。
（作用）
請求項１に記載の発明によれば、復帰時間内において異常検出信号を受信（検出）することにより故障電流を検出した故障電流検出装置を特定可能となる。複数の電柱にそれぞれ設置された故障電流検出装置の表示部の表示状態を一つずつ目視により確認する必要はない。このため、故障電流を検出した故障電流検出装置（即ち、配電線路における故障点）の特定作業は簡素なものとなる。また、各故障電流検出装置を設置した後に、例えば電源側の開閉器を手動操作することにより、前記接地線に地絡電流を流す等の作業は不要である。このため、配電線路の故障点の特定作業のいっそうの簡素化が図られる。従って、故障電流が検出されたか否かの確認作業を簡単に行うことができる。
【００１１】
請求項２に記載の発明によれば、請求項１に記載の発明の作用に加えて、表示復帰有りモードに設定されている場合、復帰時間経過後に表示部は異常表示状態から正常表示状態へ自動復帰する。表示復帰無しモードに設定されている場合、復帰時間経過後においても表示部は異常表示状態に保持される。
【００１２】
このため、故障電流検出装置の使用状況や設置環境に応じて、表示復帰有りモード及び表示復帰無しモードのいずれかの表示復帰モードを任意選択することによって、当該故障電流検出装置をより好適に使用することができる。例えば、塩害地区等においては、何らかの原因により変電所トリップ動作を伴わない微地絡電流（いわゆる誤電流）が配電線路に流れることがある。この場合、変電所がトリップ動作しないので保全マンが現場へ向うことはない。表示復帰無しモードである場合は、表示部は異常表示状態に保たれるので、後日保全マンが当該異常表示を発見したとき、当該異常表示は故障電流が流れたことに起因するものか、誤電流が流れたことに起因するものかが不明となり、無駄な原因調査等が行われるおそれもある。一方、表示復帰有りモードに設定した場合には、前記復帰時間経過後に表示部は異常表示状態から正常表示状態に自動復帰するので、前述のような無駄な原因調査等が行われることはない。このように、配電線路に微地絡電流が流れることが多い地域や環境においては、表示復帰有りモードに設定した方がよい場合もある。そのようなことがない地域や環境に故障電流検出装置を設置する場合には表示復帰無しモードに設定する方がよい。
【００１３】
請求項３に記載の発明によれば、請求項１又は請求項２に記載の発明の作用に加えて、故障電流検出装置の各部の自己診断に加えて電池の劣化診断も可能となる。これは、電池が劣化して故障電流検出装置の各部に十分な電力が供給されない場合、送信部及び表示部等の内部回路も正常に動作しないことを利用したものである。電池交換のタイミングを的確に把握できる。
【００１４】
請求項４に記載の発明によれば、請求項３に記載の発明の作用に加えて、自己診断回路部は表示部の表示状態を異常表示状態から正常表示状態へ復帰させる表示復帰機能を有する。このため、復帰スイッチを別途備える必要がなく、故障電流検出装置の回路構成を簡単にすることができる。
【００１５】
請求項５に記載の発明によれば、請求項１〜請求項４のうちいずれか一項に記載の発明の作用に加えて、消費電力を節約することができる。
【発明の効果】
【００１６】
本発明によれば、故障電流を検出すると異常検出信号が送信されると共に表示部が正常表示状態から異常表示状態へ移行することにより、故障電流が検出されたか否かの確認作業を簡単に行うことができる。
【発明を実施するための最良の形態】
【００１７】
以下、本発明を配電線路に流れる故障電流を検出する故障電流検出システムに具体化した一実施形態を図１〜図３に基づいて説明する。
図１及び図２に示すように、故障電流検出システム１１は故障電流検出装置１２（図１参照）及び受信装置１３（図２参照）を備えている。故障電流検出装置１２は例えば電柱の外周に取り付けられており、高圧配電線路に接続された高圧配電機器（例えば開閉器、変圧器及び避雷器）の接地線に流れる地絡電流等の故障電流の通過を検出して異常検出信号Ｓ４を送信する。受信装置１３は携帯可能に構成されており、故障電流検出装置１２から送られてきた異常検出信号Ｓ４を受信して異常検出（即ち、故障電流の通過を検出したこと）を視覚及び聴覚に訴えて報知する。
【００１８】
＜送信装置＞
故障電流検出装置１２（送信装置）は、太陽電池パネル２１、電池充電回路２２及び充電電池２３を備えている。
【００１９】
太陽電池パネル２１は、複数の太陽電池が組み込まれたパネルの集合体である。太陽電池電圧が上昇すると電池充電回路２２は作動開始して充電スイッチをオンする。太陽電池により発電された電力は充電電池２３に蓄えられる。充電電池の充電が進んで充電電池電圧が過充電設定電圧に達すると、電池充電回路２２は充電スイッチをオフする。充電電池電圧が下がって過充電復帰電圧に達すると、電池充電回路２２は充電スイッチを再びオンする。これが繰り返されることにより、充電電池２３は絶えず充電された状態に保たれ、電池交換は不要となる。充電電池２３に蓄えられた電力は故障電流検出装置１２の各部（内部回路）に供給される。
【００２０】
また、故障電流検出装置１２は、変流器３１、故障電流検出部３２、送信部３３、機器番号記憶部３４及び機器番号入力部３５を備えている。
変流器３１の一次側巻線は開閉器及び変圧器等の高圧配電機器の接地線に対して直列に接続されている。即ち、変流器３１の一次巻線の一端は高圧配電機器側に接続され、同じく他端は地面側に接続されている。変流器３１の一次側巻線の巻き数に応じた電流が変流器３１の二次側に誘起される。変流器３１の二次側巻線の両端部は故障電流検出部３２に接続されている。この故障電流検出部３２は変流器３１の二次側に誘起された電流を検出する。故障電流検出部３２は１Ａ（アンペア）の電流を１秒以上検出すると、送信部駆動信号Ｓ１を送信部３３へ送ると共に、後述する表示部４６へ表示体駆動信号Ｓ２を出力する。
【００２１】
送信部３３は水晶発振回路等の発振回路及びアンテナ３３ａを備えている。送信部３３は故障電流検出部３２から出力された送信部駆動信号Ｓ１に基づいて駆動して異常検出信号Ｓ４を生成し、この生成した異常検出信号Ｓ４をアンテナ３３ａを介して所定の発信周波数で無線送信する。ちなみに、送信電波は特定小電力無線方式であり３００ｍ（メートル）送信可能となっている。また、送信部３３は異常検出信号Ｓ４を間欠的に送信するようになっている。本実施形態では、送信部３３は異常検出信号Ｓ４を５秒発信して２秒休止するように設定されている。
【００２２】
前記異常検出信号Ｓ４には機器番号記憶部３４に記憶された機器番号が含まれている。この機器番号は例えば８桁の数字の組み合わせからなり、工場出荷時に機器番号入力部３５から入力され、機器番号記憶部３４に予め格納されている。送信部３３は予め設定された通常の復帰時間ｔｎが経過するまでの間、又は後述する自己診断開始スイッチ４５ａがオン（押下）されるまでの間、異常検出信号Ｓ４を出力し続ける。
【００２３】
さらに、故障電流検出装置１２は、復帰時間記憶部４１、復帰時間カウント部４２、故障検出自動復帰部４３、表示復帰選択回路部４４、自己診断回路部４５及び表示部４６を備えている。
【００２４】
復帰時間記憶部４１は変流器３１により故障電流が検出されると同時に、即ち故障電流検出部３２から故障電流検出信号Ｓ３が入力されると同時に、通常の復帰時間ｔｎを設定する。通常時の復帰時間ｔｎは変電所トリップにより故障区間が確定した後における点検に要する時間、即ち、故障点の特定が可能であろうという推定時間であり、シミュレーション等に基づいて予め設定されている。また、通常時の復帰時間ｔｎは電池容量等も考慮して設定されている。本実施形態において通常時の復帰時間ｔｎは１時間（６０分）とされている。また、復帰時間記憶部４１は後述する自己診断回路部４５から自己診断開始信号Ｓ８が入力された場合には自己診断用の復帰時間ｔｓ（例えば５秒）を設定する。
【００２５】
復帰時間カウント部４２は復帰時間記憶部４１によりセットされた復帰時間をカウント（計時）するタイマである。通常の復帰時間ｔｎ又は自己診断用の復帰時間ｔｓだけ経過すると、復帰時間記憶部４１はカウントアップ信号Ｓ５を故障検出自動復帰部４３へ出力する。復帰時間カウント部４２からのカウントアップ信号が入力されると、故障検出自動復帰部４３は送信部３３及び表示復帰選択回路部４４へそれぞれ復帰信号Ｓ６を出力する。
【００２６】
表示復帰選択回路部４４は、通常の復帰時間ｔｎ経過後に表示部４６の表示状態を異常表示状態から正常表示状態へ自動復帰させる表示復帰有りモードと、同じく自動復帰させることなく表示部４６を異常表示状態に保持する表示復帰無しモードとを選択的に切替え可能となっている。例えば保全マンによる表示復帰モード設定入力部（図示略）の入力操作により、表示復帰有りモード及び表示復帰無しモードのいずれかの表示復帰モードが選択される。表示復帰有りモードに設定されている場合に故障検出自動復帰部４３からの復帰信号Ｓ６が入力されたとき、表示復帰選択回路部４４は表示復帰信号Ｓ７を表示部４６へ出力し、表示部４６を異常表示状態から正常表示状態に移行させる。表示復帰無しモードに設定されている場合に故障検出自動復帰部４３からの復帰信号Ｓ６が入力されたとき、表示復帰選択回路部４４は表示部４６を異常表示状態に保つ。
【００２７】
自己診断回路部４５は自己診断開始スイッチ（常開接点）４５ａを押下することにより故障電流検出装置１２の自己診断を開始する。即ち、自己診断回路部４５は故障電流検出部３２に試験信号Ｓｔを供給し、この試験信号Ｓｔに基づいて送信部３３から異常検出信号が送信されるかどうか、またそれと同時に表示部４６が正常表示状態から異常表示状態に移行するかどうかの試験が行われる。
【００２８】
故障電流検出装置１２の各部（内部回路）に異常がなければ異常検出信号（機器番号等のデータを含む）Ｓ４がアンテナ３３ａから送信されると同時に、表示部４６が正常表示状態から異常検出状態へ移行する。復帰時間ｔｓ経過後、送信部３３は異常検出信号Ｓ４の送信を停止する。同時に表示部４６は異常表示状態から正常表示状態へ移行する。これらの動作が行われることにより、故障電流検出装置１２の内部故障及び充電電池２３の寿命が確認可能となる。
【００２９】
＜表示部＞
図３に示すように、表示部４６は第１駆動コイル５１及び第２駆動コイル５２を備えており、それぞれステータ（固定羽根）５３に同方向に巻回されている。第１及び第２駆動コイル５１，５２の両端はそれぞれ故障電流検出部３２の出力側及び表示復帰選択回路部４４の出力側に接続されている。また、ステータ５３の両磁極部５３ａ，５３ｂ間には円板状の表示体５４が軸を中心として回転可能に配置されている。表示体５４は凸レンズ部（図示略）を介して外部から視認可能となるように配置されている。表示体５４の表面側（一方面）は例えば黒色に着色され、裏面側（他方面）は例えば黄色に着色されている。
【００３０】
正常時には表示体５４はその表面側が外側を向くように保持され、異常時には表示体５４はその裏面側が外側を向くように保持される。即ち、故障電流検出部３２から表示体駆動信号Ｓ２が出力されると、第１駆動コイル５１及び第２駆動コイル５２が励磁され、これにより表示体５４は裏面側が外側を向くように反転する。表示復帰選択回路部４４から表示復帰信号Ｓ７が出力されると、磁極部５３ａ，５３ｂの極性が故障電流検出時とは反対になるように、第１駆動コイル５１及び第２駆動コイル５２がそれぞれ励磁される。これにより、表示体５４は表面側が外側を向くように反転復帰する。本実施形態において、表示体５４がその表面側が外側を向くように保持された状態を正常表示状態といい、同じく裏面側が外側を向くように保持された状態を異常表示状態という。
【００３１】
＜受信装置＞
図２に示すように、受信装置１３は、受信部６１、増幅回路６２、電界強度レベル判定回路６３及び異常報知部６４を備えている。
【００３２】
受信部６１は受信回路及びアンテナ６１ａを備えている。受信部６１（厳密には、受信回路）はアンテナ６１ａを介して故障電流検出装置１２から送られてきた異常検出信号を受信し、この受信した異常検出信号を増幅回路６２へ出力する。増幅回路６２は受信部６１により受信した異常発生信号を増幅し、この増幅した異常発生信号を電界強度レベル判定回路６３へ出力する。
【００３３】
電界強度レベル判定回路６３は増幅回路６２により増幅された異常検出信号の電界強度（受信電波の強度）のレベルを判定する。異常報知部６４は複数のＬＥＤ（発光ダイオード）６５及びブザー６６を備えている。電界強度レベル判定回路６３は電界強度のレベルに応じた個数のＬＥＤ６５を点灯させる。例えば、電界強度のレベルが上がるほど点灯されるＬＥＤ６５の個数が増える。また、電界強度レベル判定回路６３は電界強度のレベルに応じてブザー６６への出力電圧を調節する。例えば電界強度のレベルに応じてブザー音の大きさを多段階に調節する。本実施形態において、異常報知部６４は４個のＬＥＤ６５を備えており、電界強度レベル判定回路６３は電界強度のレベルが高いほどＬＥＤ６５を多く点灯させる。
【００３４】
また、受信装置１３は表示回路６７及びディスプレイ６８を備えている。表示回路６７は受信部６１により受信した異常検出信号Ｓ４に含まれる故障電流検出装置１２の機器番号をディスプレイ６８（液晶ディスプレイ及び有機ＥＬディスプレイ等）に表示させる。このディスプレイ６８に表示された機器番号を認識することにより故障点に設置された故障電流検出装置１２（即ち、故障電流を検出した故障電流検出装置１２）を容易に特定可能となる。
【００３５】
＜実施形態の作用＞
次に、前述のように構成した故障電流検出システム１１の動作を説明する。故障電流検出システム１１は表示復帰有りモード及び表示復帰無しモードの２つの表示復帰モードを有している。この表示復帰モードは故障電流検出装置１２に設けられた図示しない表示復帰モード設定入力部により切替可能となっている。以下、順番に説明する。
【００３６】
＜通常動作時（表示復帰有りモード）＞
まず、表示復帰有りモード時の故障電流検出システム１１の動作を説明する。
＜送信装置の動作＞
例えば高圧配電機器の絶縁劣化等に起因して当該高圧配電機器の接地線に地絡電流等の故障電流が流れたとき、変流器３１の二次側巻線には一次側巻線との巻数比に応じた故障検出電流（変成電流）が出力される。この変成電流は故障電流検出部３２により検出される。故障電流検出部３２は１Ａ（アンペア）の電流を１秒以上検出すると、送信部駆動信号Ｓ１を機器番号記憶部３４を介して送信部３３へ送ると共に表示部４６へ表示体駆動信号Ｓ２を出力する。また、故障電流検出部３２は復帰時間記憶部４１へ故障電流検出信号Ｓ３を出力する。
【００３７】
送信部駆動信号Ｓ１が送信部３３へ入力されると、当該送信部３３は異常検出信号Ｓ４を生成し、この生成した異常検出信号Ｓ４をアンテナ３３ａを介して所定の発信周波数（本実施形態では、４２６ＭＨｚ）で無線送信する。この異常検出信号Ｓ４には機器番号記憶部３４に予め格納された機器番号データが含まれている。また、前記表示体駆動信号Ｓ２が表示部４６へ入力されると表示体５４が反転し、これにより表示部４６は正常表示状態から異常表示状態へ移行する。
【００３８】
さらに、故障電流検出信号Ｓ３が復帰時間記憶部４１に入力されると、当該復帰時間記憶部４１は通常の復帰時間ｔｎをセットする。この通常の復帰時間ｔｎは復帰時間カウント部４２によりカウントされ、通常の復帰時間ｔｎだけ経過すると復帰時間カウント部４２はカウントアップ信号Ｓ５を出力する。このカウントアップ信号Ｓ５が故障検出自動復帰部４３へ入力されると、当該故障検出自動復帰部４３は送信部３３及び表示復帰選択回路部４４へそれぞれ復帰信号Ｓ６を出力する。この復帰信号Ｓ６に基づいて送信部３３は異常検出信号Ｓ４の送信を停止する。また、表示復帰有りモードに設定されていることから、前述の復帰信号Ｓ６が入力されると、表示復帰選択回路部４４は表示復帰信号Ｓ７を表示部４６へ送る。すると、表示体５４が反転復帰することにより表示部４６は異常表示状態から正常表示状態へ移行する。
【００３９】
＜受信装置の動作＞
保全マンは受信装置１３を携帯して例えば作業車で所定の巡回ルートを回る。故障電流を検出した故障電流検出装置１２からの異常検出信号Ｓ４を検出可能な位置（故障電流検出装置１２から３００ｍ位の範囲内）に来たとき、受信装置１３の受信部６１はアンテナ６１ａを介して前記異常検出信号Ｓ４を受信する。受信部６１により受信した異常検出信号Ｓ４は増幅回路６２により増幅される。この増幅された異常検出信号Ｓ４は電界強度レベル判定回路６３により電界強度のレベルが判定され、この電界強度のレベルに応じてＬＥＤ６５が点灯されると共に、ブザー６６が駆動される。このブザー音及びＬＥＤ６５の点灯により異常検出が報知される。また、ディスプレイ６８には前記異常検出信号に含まれる機器番号（本実施形態では、８桁の数字）が表示される。
【００４０】
電界強度レベル判定回路６３は電界強度のレベルに応じて点灯するＬＥＤ６５の数を決定する。異常検出信号を発信している故障電流検出装置１２に近づくにつれて電界強度（電波の強さ）が大きくなり、これに伴って点灯されるＬＥＤ６５の数が増える。この点灯したＬＥＤ６５の数により、故障電流を検出した故障電流検出装置１２までの距離が推定可能となり、故障電流を検出した故障電流検出装置１２の特定が容易になる。また、ディスプレイ６８に異常検出信号Ｓ４を発信している故障電流検出装置１２の機器番号が表示されることにより、故障電流を検出した故障電流検出装置１２の特定がより簡単になる。このように、保全マンはこれらの情報（ＬＥＤ６５の発光、ブザー音及び機器番号）に基づいて故障点を特定する。また、保全マンは受信装置１３により異常の有無（故障電流検出の有無）を判断することができる。このため、表示体５４の表示状態を一つずつ目視により確認する必要はなくなる。
【００４１】
＜通常動作時（表示復帰無しモード）＞
次に、表示復帰無しモード時の故障電流検出システム１１の動作を説明する。この表示復帰無しモード設定時においては、故障電流検出部３２により故障電流が検出された際、送信部３３から異常検出信号Ｓ４を送信すると共に表示部４６を正常表示状態から異常表示状態へ移行させる点については、前述した表示復帰有りモード設定時の動作と同様である。また、故障電流検出部３２により故障電流が検出された際、復帰時間記憶部４１により通常の復帰時間ｔｎがセットされること、及びこの通常の復帰時間ｔｎだけ経過すると異常検出信号Ｓ４の送信を停止することについても前述した表示復帰有りモード時の動作と同様である。表示復帰無しモードは前述の表示復帰有りモードに対して以下の点において異なる。
【００４２】
即ち、表示復帰無しモードに設定されている場合、故障検出自動復帰部４３から復帰信号Ｓ６が入力されたとき、表示復帰選択回路部４４は現在は表示復帰モード無しモードであるから表示復帰信号Ｓ７を出力してはならない旨の判断する。このため、表示復帰選択回路部４４は表示復帰信号Ｓ７を表示部４６へ出力することはない。従って、表示体５４も反転復帰することはなく、表示部４６は異常表示状態に保たれる。このように、表示復帰無しモード設定時においては、通常の復帰時間ｔｎ経過後、検出信号Ｓ４の送信だけが停止され、表示部４６は異常表示状態に保持される。復帰時間ｔｎ経過後も故障電流を検出した形跡が残るので復帰時間ｔｎ経過後も配電線路における故障点の特定が可能となる。この表示復帰無しモード時における表示体５４の復帰動作は、例えば保全マンにより自己診断開始スイッチ４５ａが押下されることにより行われる。この自己診断開始スイッチ４５ａが押下されたときの故障電流検出装置１２の動作については、後に詳述する。
【００４３】
＜自己診断開始スイッチの押下時＞
次に、自己診断開始スイッチが押下された場合の故障電流検出システム１１の動作を説明する。
【００４４】
例えば保全マンにより自己診断開始スイッチ４５ａが押下されると、自己診断回路部４５は故障電流検出部３２に試験信号Ｓｔを供給する。この試験信号Ｓｔを検出すると、故障電流検出部３２は送信部駆動信号Ｓ１を機器番号記憶部３４を介して送信部３３へ送ると共に表示体駆動信号Ｓ２を表示部４６へ送る。故障電流検出装置１２の各部（内部回路）及び充電電池２３がそれぞれ正常であれば、送信部３３から検出信号Ｓ４が送信されると共に表示部４６が正常表示状態から異常表示状態へ移行する。保全マンは、異常検出信号Ｓ４が受信装置１３により正常に受信されたか否かにより、送信部３３から異常検出信号Ｓ４が正常に送信されているか否かを判断する。
【００４５】
また、保全マンにより自己診断開始スイッチ４５ａが押下されたとき、自己診断回路部４５は自己診断開始信号Ｓ８を復帰時間記憶部４１へ出力する。すると、復帰時間記憶部４１は自己診断用の復帰時間（例えば５秒）ｔｓをセットする。この自己診断用の復帰時間ｔｓは復帰時間カウント部４２によりカウントされ、自己診断用の復帰時間ｔｓだけ経過すると復帰時間カウント部４２はカウントアップ信号Ｓ５を故障検出自動復帰部４３へ出力する。このカウントアップ信号Ｓ５が入力されると、故障検出自動復帰部４３は復帰信号Ｓ６を送信部３３及び表示復帰選択回路部４４へそれぞれ出力する。この復帰信号Ｓ６に基づいて送信部３３は異常検出信号Ｓ４の送信を停止する。また、表示復帰選択回路部４４は自己診断実行時であると判断し、前述の復帰信号Ｓ６が入力されると、表示復帰選択回路部４４は表示復帰信号Ｓ７を表示部４６へ送る。この際、故障電流検出装置１２が表示復帰有りモード及び表示復帰無しモードのいずれの動作モードに設定されていても、表示復帰選択回路部４４は表示復帰信号Ｓ７を表示部４６へ出力する。この結果、表示体５４が反転復帰し、表示部４６は異常表示状態から正常表示状態へ移行する。
【００４６】
以上で自己診断は完了となる。これら全ての動作が正常に行われることにより、保全マンは故障電流検出装置１２の内部回路の故障及び充電電池２３の寿命をそれぞれ確認することができる。故障電流検出装置１２の各部は充電電池２３から供給される電力により動作する。このため、例えば充電電池２３の劣化により故障電流検出装置１２の各部に十分な電力が供給されない場合には、前述した正常な動作が行われない。この点に着目することにより、故障電流検出装置１２の各部の診断と同時に、充電電池２３の寿命の確認も可能となる。また、故障電流検出装置１２が表示復帰無しモードに設定されていても、自己診断開始スイッチ４５ａを押下することにより表示部４６は異常表示状態から正常表示状態へ移行することにより、当該自己診断開始スイッチ４５ａは表示部４６の復帰スイッチを兼用する。換言すると、自己診断回路部４５は表示体５４を裏面側が外側を向く状態から表面側が外側を向く状態に反転復帰させるための表示復帰回路部を兼用する。
【００４７】
＜実施形態の効果＞
従って、本実施形態によれば、以下の効果を得ることができる。
（１）故障電流検出装置１２には、配電線路に流れる故障電流を検出する故障電流検出部３２と、故障電流検出部３２により故障電流が検出された旨の異常検出信号Ｓ４を無線送信する送信部３３と、故障電流検出部３２により故障電流が検出された際には正常表示状態から異常表示状態へ移行する表示部４６とを備えた。そして、故障電流検出部３２により故障電流が検出された際、予め設定された通常の復帰時間ｔｎが経過したとき、送信部３３は異常検出信号Ｓ４の送信を停止するものの、表示部４６は異常表示状態を保持するようにした（表示復帰無しモード）。  
【００４８】
このため、通常の復帰時間ｔｎ内においては異常検出信号Ｓ４を受信（検出）することにより故障電流を検出した故障電流検出装置１２を特定可能となる。複数の電柱にそれぞれ設置された故障電流検出装置１２の表示体５４の表示状態を一つずつ目視により確認する必要はない。従って、故障電流を検出した故障電流検出装置１２（即ち、配電線路における故障点）の特定作業は簡素なものとなる。
【００４９】
さらに、各故障電流検出装置１２を開閉器や変圧器等の高圧配電機器の接地線に設置した後に、例えば電源側の開閉器を手動操作することにより、前記接地線に地絡電流を流す等の試験作業は不要である。このため、故障点の特定作業時において、配電線路における故障点の特定作業のいっそうの簡素化が図られる。
【００５０】
さらに、通常の復帰時間ｔｎ経過後においても表示部４６は異常表示状態を保持する。このため、保全マンは表示体５４の表示状態を目視により確認することにより、通常の復帰時間ｔｎ経過後においても故障点の特定作業が可能となる。送信部３３からの異常検出信号Ｓ４のみに基づいて故障点の特定作業を行うようにした場合と異なり、通常の復帰時間ｔｎ経過後において、目視によっても異常の有無を確認可能としたことにより、故障点の特定作業をより確実に行うことができる。
【００５１】
（２）故障電流検出装置１２には、通常の復帰時間ｔｎ経過後、表示部４６を異常表示状態から正常表示状態へ自動復帰させる表示復帰有りモードと、同じく自動復帰させることなく表示部４６を異常表示状態に保持する表示復帰無しモードとを備えた。そして、表示復帰有りモードと表示復帰無しモードとを切替可能とした。このため、例えば、配電線路に変電所のトリップ動作が行われないような誤電流（例えば塩害地区において何らかの原因で配電線路に流れる変電所トリップ動作を伴わない微地絡電流）が流れた場合、表示復帰無しモードに設定されていると表示部の異常表示状態は故障電流が流れたことに起因するものか、誤電流が流れたことに起因するものか不明である。しかし、表示復帰有りモードに設定されていると、誤電流が流れた場合は自動復帰するため、表示部の異常表示状態は故障電流が流れたことに起因するものであることが明確となる。従って、故障電流検出装置１２の使用状況に応じて表示復帰有りモード及び表示復帰無しモードのいずれかの表示復帰モードを任意選択することができる。
【００５２】
（３）故障電流検出装置１２の動作電源を充電電池２３とし、当該充電電池２３からの電力により故障電流検出装置１２の各部（例えば表示部４６及び送信部３３）がそれぞれ正常に動作するか否かを自己診断する自己診断回路部４５を設けるようにした。このため、故障電流検出装置１２の各部の自己診断に加えて充電電池２３の劣化診断も可能となる。これは、充電電池２３が劣化して故障電流検出装置１２の各部に十分な電力が供給されない場合、送信部３３及び表示部４６等の内部回路も正常に動作しないことを利用したものである。
【００５３】
（４）通常の復帰時間ｔｎ経過後、自己診断回路部４５から出力された自己診断開始信号Ｓ８に基づいて表示部４６を異常表示状態から正常表示状態に復帰させるようにした。即ち、自己診断回路部４５は表示部４６の表示状態を異常表示状態から正常表示状態へ復帰させる表示復帰回路を兼ねる。このため、表示復帰スイッチを別途備える必要がなく、故障電流検出装置１２の回路構成を簡単にすることができる。これは、故障電流検出時には保全マンが必ず各電柱を回って故障電流検出装置１２の検査（自己診断を含む）を行うことに着目したものである。また、この場合、表示復帰有りモード及び表示復帰無しモードのいずれのモードに設定されていても、表示部４６は異常表示状態から正常表示状態へ復帰する。また、故障電流検出時における表示部４６の表示復帰を目的として自己診断回路部４５を動作させた場合であっても、充電電池２３の劣化診断が可能である。
【００５４】
（５）送信部３３における異常検出信号Ｓ４を間欠的に発信するようにした。このため、故障電流検出装置１２における消費電力を節約することができる。
（６）故障電流検出システム１１には、高圧配電機器の接地線に流れる故障電流を検出して異常検出信号Ｓ４を送信する故障電流検出装置１２と、この故障電流検出装置１２から送られてきた異常検出信号Ｓ４を受信したとき視覚及び聴覚の少なくとも１つに訴えて異常検出を報知する受信装置１３とを備えた。このため、例えば各電柱にそれぞれ設置された故障電流検出装置１２の表示体５４の表示状態を一つずつ目視により確認する必要がなく、保全マンは受信装置１３を携帯して所定の巡回ルートを回りながら当該受信装置１３を確認するだけでよい。従って、異常の有無の確認作業が簡単になると共に誤認を防止することができる。
【００５５】
（７）太陽電池パネル２１により発電された電力を充電電池２３に蓄え、この充電電池２３に蓄えられた電力により故障電流検出装置１２の各部が動作するようにした。このため、充電不能の電池を故障電流検出装置１２の駆動電源とした場合と異なり、電池交換の手間が省ける。また、経済的であると共に環境にもやさしい。
【００５６】
（８）受信装置１３にはディスプレイ６８を備えた。そして、異常検出信号Ｓ４を受信した際には当該異常検出信号Ｓ４に含まれている機器番号を表示するようにした。この機器番号を確認することにより保全マンは故障電流を検出した故障電流検出装置１２の特定を行う。このことは、故障点の特定作業効率の向上に大いに貢献する。
【００５７】
（別の実施形態）
尚、前記実施形態は、次のように変更して実施してもよい。
・本実施形態では、受信装置１３は異常検出信号Ｓ４を受信したとき視覚及び聴覚に訴えて異常検出を報知するようにしたが、いずれか一方によって異常報知するようにしてもよい。即ち、受信装置１３にはＬＥＤ６５のみを設けるようにしてもよいし、ブザー６６のみを設けるようにしてもよい。
【００５８】
・本実施形態では、受信装置１３を保全マンが携帯して作業車により所定の巡回ルートを回るようにしたが、例えば作業車（車両）に搭載されたカーナビゲーションシステムに受信装置１３を組み込むようにしてもよい。この場合、カーナビゲーションシステムを構成するスピーカ及びディスプレイにより音声及び画面表示により、異常検出を報知する。
【００５９】
・本実施形態では、太陽電池パネル２１により発電された電力を蓄える充電電池２３を故障電流検出装置１２の駆動電源としたが、単なる充電電池としてもよい。電池切れの場合には、当該電池を取り外して図示しない充電器を使用して充電する。また、充電電池ではなく、乾電池を故障電流検出装置１２の動作電源としてもよい。電池切れの場合には新しい電池と交換する。
【００６０】
・充電電池２３を例えば電気二重層コンデンサに置換してもよい。結局、故障電流検出装置１２の寿命は充電電池２３に依存することとなる。ここで、充電電池２３よりも寿命の長い電気二重層コンデンサを使用することにより、充電電池２３を動作電源として使用するようにした場合に比べて故障電流検出装置１２の寿命を長くすることができる。
【００６１】
・本実施形態では、太陽電池パネル２１により発電された電力を蓄える充電電池２３を故障電流検出装置１２の駆動電源としたが、太陽電池パネル２１に変えて柱上変圧器から電源を供給してもよい。これにより、太陽電池パネル２１が不要となる。この場合、充電電池を使用しても、使用しなくてもよい。
【００６２】
・送信部３３からの異常検出信号Ｓ４の送信及び表示部４６による表示は、事故種別により異ならせるようにしてもよい。例えば変電所におけるトリップ動作を伴わない微地絡については表示部４６による異常表示のみとする。これは、定期的な保守点検時における活用を想定している。一方、変電所におけるトリップ動作を伴う地絡については、送信部３３からの異常検出信号Ｓ４の送信及び表示部４６による異常表示の双方を行う。これにより、事故区間内での故障点特定の迅速化が図られる。
【００６３】
・変流器３１の二次側に誘起される電流を故障電流検出装置１２の動作電源とするようにしてもよい。このようにすれば、充電電池２３を動作電源として使用した場合に比べて、故障電流検出装置１２の寿命を大幅に向上させることができる。充電電池２３を使用した場合、この充電電池２３の寿命が故障電流検出装置１２の寿命に影響するからである。
【００６４】
・本実施形態では、送信部３３における異常検出信号Ｓ４を間欠的に発信するようにしたが、この異常検出信号Ｓ４の発信間隔は任意に変更するようにしてもよい。例えば、異常検出信号Ｓ４を５秒発信して１秒休止又は３秒発信して３秒休止するようにしてもよい。
【００６５】
・本実施形態では、送信電波は特定小電力無線方式としたが、微弱無線方式、赤外線方式にするようにしてもよい。
【図面の簡単な説明】
【００６６】
【図１】本実施形態の故障電流検出システムを構成する故障電流検出装置の概略構成図。
【図２】同じく故障電流検出システムを構成する受信装置の概略構成図。
【図３】同じく表示部の概略構成図。
【符号の説明】
【００６７】
１１…故障電流検出システム、１２…故障電流検出装置（検出部）、１３…受信装置、
２３…充電電池（電池）、３３…送信部、４４…表示復帰選択回路部、
４５…自己診断回路部、４６…表示部、Ｓ４…異常検出信号、
Ｓ８…自己診断開始信号、ｔｎ…復帰時間（通常）。
【図１】
2005304169.tif 000003
【図２】
2005304169.tif 000004
【図３】
2005304169.tif 000005